(57)【要約】【課題】美観を向上させることができる空気調和機の室内機を提供する。【解決手段】空気調和機の室内機１は、室内機ケーシング２と、水平フラップ３と、正面パネル４とを備える。室内機ケーシング２は、室内へと吹き出される空気が通る吹出し口２０を有する。水平フラップ３は、吹出し口２０を開閉自在に設けられ、吹出し口２０から吹き出される空気を案内する。正面パネル４は、閉状態において、室内機ケーシング２と、吹出し口２０を閉じる水平フラップ３との間を覆い、正面視において水平フラップ３の一端を覆う。【選択図】      図３
2006275511.tif 000002
【特許請求の範囲】
【請求項１】
室内へと吹き出される空気が通る吹出し口（２０）を有するケーシング（２）と、
前記吹出し口（２０）を開閉自在に設けられ、前記吹出し口（２０）から吹き出される空気を案内するフラップ（３）と、
閉状態において、前記吹出し口（２０）を閉じる前記フラップ（３）と前記ケーシング（２）との間を覆い、正面視において前記フラップ（３）の一端を覆う正面パネル（４）と、
を備える空気調和機の室内機（１）。
【請求項２】
前記吹出し口（２０）は、前記ケーシング（２）の幅（Ｗ）方向に細長い形状を有し、
前記正面パネル（４）は、前記幅（Ｗ）方向に前記吹出し口（２０）よりも長い形状を有する、
請求項１に記載の空気調和機の室内機（１）。
【請求項３】
前記正面パネル（４）は、前記ケーシング（２）の幅（Ｗ）と略同じ幅（Ｗ）を有する、
請求項１または２に記載の空気調和機の室内機（１）。
【請求項４】
前記正面パネル（４）は正面視において上下方向に伸びる継ぎ目を有さない、
請求項１から３のいずれかに記載の空気調和機の室内機（１）。
【発明の詳細な説明】
【技術分野】
【０００１】
本発明は、空気調和機の室内機に関する。
【背景技術】
【０００２】
空気調和機の室内機は、室内へと吹き出される空気が通る吹出し口を有するケーシングと、吹出し口から吹き出される空気を案内するフラップとを備えることが多い。このフラップは、吹出し口を開閉自在に設けられ、閉状態においては吹出し口を閉じるように設けられる（特許文献１参照）。
【特許文献１】特開２００３−１３０３８２号公報（第１図）
【発明の開示】
【発明が解決しようとする課題】
【０００３】
一方、フラップを吹出し口において制限少なく回動可能とするには、フラップが吹出し口を閉じた状態において、フラップの一端と吹出し口との間に隙間が存在することが必要である。従来、この隙間は、空気調和機の室内機の外観に表れており、室内の居住者等の目に触れ易い。このため、この隙間が意匠上のノイズとなり空気調和機の室内機のインテリア性を低下させるなど美観を損なう要因となっている。
【０００４】
本発明の課題は、美観を向上させることができる空気調和機の室内機を提供することにある。
【課題を解決するための手段】
【０００５】
第１発明に係る空気調和機の室内機は、ケーシングと、フラップと、正面パネルとを備える。ケーシングは、室内へと吹き出される空気が通る吹出し口を有する。フラップは、吹出し口を開閉自在に設けられ、吹出し口から吹き出される空気を案内する。正面パネルは、閉状態において、吹出し口を閉じるフラップとケーシングとの間を覆い、正面視においてフラップの一端を覆う。
【０００６】
この空気調和機の室内機では、フラップの一端と吹出し口との間を隠蔽して外部から見え難くすることができる。このため、この空気調和機の室内機では美観を向上させることができる。
【０００７】
第２発明に係る空気調和機の室内機は、第１発明の空気調和機の室内機であって、吹出し口は、ケーシングの幅方向に細長い形状を有する。そして、正面パネルは、幅方向に吹出し口よりも長い形状を有する。
【０００８】
この空気調和機の室内機では、正面パネルは、幅方向に吹出し口よりも長い形状を有する。このため、正面パネルによって、フラップと吹出し口との間をより広範囲に亘って隠蔽することができる。これにより、この空気調和機の室内機では、美観をより向上させることができる。
【０００９】
第３発明に係る空気調和機の室内機は、第１発明または第２発明のいずれかの空気調和機の室内機であって、正面パネルは、ケーシングの幅と略同じ幅を有する。
【００１０】
この空気調和機の室内機では、正面パネルは、ケーシングの幅と略同じ幅を有する。このため、正面パネルによって、ケーシングの表面に現れる美観を妨げる恐れのある要素をより広範囲に亘って隠蔽することができる。これにより、この空気調和機の室内機では、美観をより向上させることができる。
【００１１】
第４発明に係る空気調和機の室内機は、第１発明から第３発明のいずれかの空気調和機の室内機であって、正面パネルは正面視において上下方向に伸びる継ぎ目を有さない。
【００１２】
この空気調和機の室内機では、正面パネルは正面視において上下方向に伸びる継ぎ目を有さない。従って、この空気調和機の室内機では、外観上美観を妨げる恐れのある要素がより少なくなっている。これにより、この空気調和機の室内機では、美観をより向上させることができる。
【発明の効果】
【００１３】
第１発明に係る空気調和機の室内機では、フラップの一端と吹出し口との間を隠蔽して外部から見え難くすることができる。このため、この空気調和機の室内機では美観を向上させることができる。
【００１４】
第２発明に係る空気調和機の室内機では、正面パネルによって、フラップと吹出し口との間をより広範囲に亘って隠蔽することができる。これにより、この空気調和機の室内機では、美観をより向上させることができる。
【００１５】
第３発明に係る空気調和機の室内機では、正面パネルによって、ケーシングの表面に現れる美観を妨げる恐れのある要素をより広範囲に亘って隠蔽することができる。これにより、この空気調和機の室内機では、美観をより向上させることができる。
【００１６】
第４発明に係る空気調和機の室内機では、外観上美観を妨げる恐れのある要素がより少なくなっている。これにより、この空気調和機の室内機では、美観をより向上させることができる。
【発明を実施するための最良の形態】
【００１７】
＜構成＞
本発明の一実施形態にかかる空気調和機の室内機１を図１および図２に示す。図１は空気調和機の室内機１の正面図であり、図２は空気調和機の室内機１の側面図である。この空気調和機の室内機１は、室内の壁面に取り付けられる壁掛け型室内機であり、室内の冷暖房等の空気調和を行う。この空気調和機の室内機１は、室内機ケーシング２（ケーシング）と、水平フラップ３（フラップ）と、正面パネル４とを備えている。
【００１８】
［室内機ケーシング］
室内機ケーシング２は、図１に示すように、正面視において水平方向に長い長方形形状を有しており、図示しない室内熱交換器、室内ファン、制御部品などを収容する。室内機ケーシング２の正面には、正面パネル４が取り付けられている。正面パネル４については、後に詳細に説明する。室内機ケーシング２には、図３に示すように、吹出し口２０、第１吸込み口２１（吸込み口）および第２吸込み口２２が設けられている。なお、図３は、室内機１の側面断面図である。
【００１９】
吹出し口２０は、室内へと吹き出される空気が通る開口であり、第１ケーシング面２３に設けられている。第１ケーシング面２３は、図２に示すように、室内機ケーシング２の底面の前側部分を構成しており、吹出し口２０は、室内機ケーシング２の下部に設けられている。第１ケーシング面２３は、前端が上方に位置するように傾斜している。吹出し口２０は、室内機ケーシング２の幅Ｗ方向（室内機ケーシング２の長手方向、図１参照）に細長い形状を有しており、水平フラップ３が設けられる。
【００２０】
図３に示す第１吸込み口２１は、室内機ケーシング２内へと取り込まれる空気が通る開口であり、第２ケーシング面２４に設けられている。第２ケーシング面２４は、図２に示すように、室内機ケーシング２の正面を構成しており、第１吸込み口２１は、室内機ケーシング２の正面に設けられる。第２ケーシング面２４は、上下方向に伸びる略平坦な形状となっているが、上端が前方に位置するように僅かに傾斜している。第２ケーシング面２４の下端は、第１ケーシング面２３の上端と連続しており、第２ケーシング面２４は、第１ケーシング面２３に対して所定角度をなしている。すなわち、第１ケーシング面２３と第２ケーシング面２４とは、屈曲した形状となっており、９０度以上１８０度未満の比較的緩やかな角度をなしている。
【００２１】
第２吸込み口２２は、室内機ケーシング２内へと取り込まれる空気が通る開口であり、図４に示すように、室内機ケーシング２の天面２５に設けられている。第２吸込み口２２は、室内機ケーシング２の幅Ｗ方向に伸びる複数のスリットによって構成されている。
【００２２】
［水平フラップ］
水平フラップ３は、吹出し口２０を開閉自在に設けられ、吹出し口２０から吹き出される空気を案内する。水平フラップ３は、室内機ケーシング２の幅Ｗ方向に細長い略長方形形状を有し、室内機ケーシング２の幅Ｗ方向に平行な軸を中心に回動自在に吹出し口２０に設けられる。水平フラップ３は、吹出し口２０よりも僅かに小さい形状を有するが、図５に示すように、吹出し口２０を閉じる水平フラップ３の上端と室内機ケーシング２との間には、隙間Ｇが設けられている。この隙間Ｇが設けられることによって、水平フラップ３は、吹出し口２０において制限少なく回動可能となっている。なお、図５は、正面パネル４を取り外した状態における室内機１の正面図である。
【００２３】
［正面パネル］
正面パネル４は、第１吸込み口２１を開閉すると共に、閉状態において、室内機ケーシング２の少なくとも一部と、吹出し口２０を閉じる水平フラップ３の少なくとも一端とを覆う。具体的には、正面パネル４は、図２および図３に示すように、水平フラップ３の長辺をなす上端近傍、第１ケーシング面２３および第２ケーシング面２４の途中までの部分に外側から重なる。従って、正面パネル４は、閉状態において、上述した水平フラップ３の上端と吹出し口２０との間の隙間Ｇを覆う。正面パネル４は、室内機ケーシング２の第１ケーシング面２３および第２ケーシング面２４の屈曲に沿うように屈曲した形状を有している。正面パネル４は、室内機ケーシング２の幅Ｗ方向に吹出し口２０よりも長い形状を有しており、室内機ケーシング２の幅Ｗと略同じ幅Ｗを有する。また、正面パネル４は、図１に示すように、正面視において上下方向に伸びる継ぎ目を有さない。正面パネル４は、第１パネル部４１と第２パネル部４２とを有する。
【００２４】
第１パネル部４１は、正面パネル４の閉状態において、水平フラップ３の上端を覆う部分である。第１パネル部４１は、正面パネル４の下部を構成している。
【００２５】
第２パネル部４２は、正面パネル４の閉状態において、第１吸込み口２１を覆う部分である。第２パネル部４２は、正面パネル４の上部を構成している。
【００２６】
第１パネル部４１の上端と第２パネル部４２の下端とは連続しており、第１パネル部４１と第２パネル部４２とは、正面パネル４の閉状態において、第１ケーシング面２３および第２ケーシング面２４に沿うように所定角度で一体化されている。
【００２７】
なお、正面パネル４は、両側端をそれぞれ支持板４３，４４によって支持されている（図７参照）。２つの支持板４３，４４は、室内機ケーシング２の両側端に設けられており、それぞれ前後に移動可能に設けられている。これらの支持板４３，４４が移動することによって正面パネル４が移動する。
【００２８】
＜開閉動作＞
次に、正面パネル４の開閉動作について図６に基づいて詳細に説明する。
【００２９】
空気調和機の室内機１は、運転停止時に、水平フラップ３によって吹出し口２０をと実と共に正面パネルを閉状態とする。正面パネル４は、閉状態において、図６（ａ）に示すように、第１吸込み口２１を覆うと共に水平フラップ３の上端を覆う。この閉状態において、第１パネル部４１は、水平フラップ３の上端、水平フラップ３の上端と吹出し口２０との間の隙間Ｇおよび第１ケーシング面２３の吹出し口２０近傍を覆う。また、第２パネル部４２は、第２ケーシング面２４を覆う。正面パネル４は、屈曲した形状を有しており、閉状態では、第１ケーシング面２３および第２ケーシング面２４に沿って、第１ケーシング面２３および第２ケーシング面２４に近接した状態となる。これにより、室内機１の運転停止時に、水平フラップ３の上端から第１吸込み口２１までの部分が外部から隠蔽される。
【００３０】
次に、空気調和機の室内機１は、運転開始時に、正面パネルを開状態とする。正面パネル４は、図６（ｂ）に示すように、斜め上前方へと移動することにより開状態となる（矢印Ａ１参照）。このとき、第１パネル部４１が第１ケーシング面２３に沿って斜め上前方へと移動すると共に第２パネル部４２が第２ケーシング面２４から離れるように斜め上前方へと移動することによって、正面パネル４は吹出し口２０および第１吸込み口２１を開く。このとき、第１パネル部４１は、下端が吹出し口２０の上端を越える位置まで移動して第１パネル部４１が吹出し口２０からの吹き出しを妨げないようにされると共に、第１パネル部４１が第２パネル部４２と第２ケーシング面２４との間の下部を塞ぐ。そして、図６（ｃ）に示すように、吹出し口２０を閉じていた水平フラップ３が回動することによって、吹出し口２０が開かれる。また、この状態においては、図７に示すように、第２パネル部４２と第２ケーシング面２４との間の上部は開かれており、第１吸込み口２１から取り込まれる空気が通ることができる。なお、開状態においては、第２パネル部４２と第２ケーシング面２４との間の両側部は支持板４３，４４によって塞がれており、この支持板４３，４４が目隠し板となって外部から第１吸込み口２１を通して室内機ケーシング２の内部が見えないようにされている。
【００３１】
室内機１の運転停止時には、水平フラップ３が回動して吹出し口２０を閉じた後、正面パネル４が上記とは逆に移動して、水平フラップ３の上端から第１吸込み口２１までの部分が再び外部から隠蔽される。
【００３２】
＜特徴＞
（１）
この空気調和機の室内機１では、運転停止時において、水平フラップ３の上端から第１吸込み口２１までの部分が正面パネル４によって隠蔽される。このため、水平フラップ３を回動可能とするための比較的大きな隙間Ｇが外部から見え難くなる。これにより、この空気調和機の室内機１では、インテリア性が向上するなど美観が向上している。
【００３３】
また、上記のような正面パネル４が設けられていない場合にこのような隙間Ｇを正面に露出させないためには、隙間Ｇを小さくすることが必要となるが、この場合、水平フラップ３の回転方向に制限ができる。しかし、この空気調和機の室内機１では、そのような水平フラップ３の回転方向の制限が緩和されている。
【００３４】
（２）
この空気調和機の室内機１では、上述したように、水平フラップ３を回動可能とするための比較的大きな隙間Ｇが正面パネル４によって覆われる。このため、室内機１の運転停止における室内機ケーシング２内の密閉度が向上している。
【００３５】
また、室内機１の運転停止時において、隙間Ｇから虫などの小動物や埃などの室内機ケーシング２の内部への侵入を防止することができる。
【００３６】
（３）
この空気調和機の室内機１では、隙間Ｇを隠蔽するための第１パネル部４１と第１吸込み口２１を覆うための第２パネル部４２とが一体化された正面パネル４によって、第１吸込み口２１と水平フラップ３の上端との隠蔽が行われる。このため、第１パネル部４１と第２パネル部４２とが別々に動作する場合と比べて、簡素な動作によって吹出し口２０および第１吸込み口２１の開閉を行うことができる。
【産業上の利用可能性】
【００３７】
本発明は、美観を向上させることができる効果を有し、空気調和機の室内機として有用である。
【図面の簡単な説明】
【００３８】
【図１】空気調和機の室内機の正面図。
【図２】空気調和機の室内機の側面図。
【図３】空気調和機の室内機の側面断面図。
【図４】閉状態における空気調和機の室内機の外観斜視図。
【図５】正面パネルが取り外された空気調和機の室内機の正面図。
【図６】空気調和機の室内機の正面パネルの開閉動作を示す図。
【図７】開状態における空気調和機の室内機の外観斜視図。
【符号の説明】
【００３９】
１          空気調和機の室内機
２          室内機ケーシング（ケーシング）
３          水平フラップ（フラップ）
４          正面パネル
２０        吹出し口
Ｗ          ケーシングの幅
【図１】
2006275511.tif 000003
【図２】
2006275511.tif 000004
【図３】
2006275511.tif 000005
【図４】
2006275511.tif 000006
【図５】
2006275511.tif 000007
【図６】
2006275511.tif 000008
【図７】
2006275511.tif 000009